(57)【要約】【課題】画像ファイルの選択作業を容易にし、選択された画像ファイルを各々の記録媒体に確実に記録することができる受付端末及び制御プログラム並びに注文処理方法の提供。【解決手段】画像ファイルを読み取るファイル読み取り手段１５と、選択された画像ファイルの数量及び容量と規定数量及び規定容量とを比較する比較手段１６と、選択された画像ファイルの数量又は容量の少なくとも一方が規定数量又は規定容量を超過している場合に、超過している分の画像ファイルを順に次の記録媒体に振り分ける振り分け手段１７と、画像選択画面を表示手段に表示させる際に、記録媒体の数量や通し番号、画像ファイルを記録媒体毎に区分する区分線、各々の記録媒体に記録される画像ファイルの数量又は容量の比率を示す図などを表示する表示制御手段１８と、上記規定数量及び規定容量を記憶する記憶手段２０など備える。【選択図】図４
2006140899.tif 000002
【特許請求の範囲】
【請求項１】
デジタルカメラ又はデジタルカメラ用メディアから、少なくとも画像ファイルを読み取るファイル読み取り手段と、
読み取った画像ファイルの中から記録媒体に記録する対象となる画像ファイルを選択させるための画像選択画面を表示手段に表示させる表示制御手段と、を少なくとも備える受付端末において、
前記画像選択画面で選択された画像ファイルの数量及び容量と、予め定められた規定数量及び規定容量とを比較する比較手段と、
前記選択された画像ファイルの前記数量又は前記容量の少なくとも一方が、前記規定数量又は前記規定容量を超過している場合に、超過している数量又は容量に対応する画像ファイルを次の前記記録媒体に順に振り分ける振り分け手段とを少なくとも備えることを特徴とする注文端末。
【請求項２】
前記表示制御手段では、前記画像選択画面に、選択された全ての画像ファイルを記録するために必要な前記記録媒体の枚数を表示させることを特徴とする請求項１記載の注文端末。
【請求項３】
前記表示制御手段では、前記画像選択画面の各々の前記画像ファイルの枠に対応付けて、該画像ファイルが記録される前記記録媒体の通し番号を表示させることを特徴とする請求項１又は２に記載の注文端末。
【請求項４】
前記表示制御手段では、前記画像選択画面に、前記選択された画像ファイルを前記記録媒体毎に区分するマークを表示させることを特徴とする請求項１乃至３のいずれか一に記載の注文端末。
【請求項５】
前記表示制御手段は、前記マークを移動可能に表示させ、
前記振り分け手段では、移動された前記マークの位置に応じて、前記選択された画像ファイルを各々の前記記録媒体に振り分け直すことを特徴とする請求項４記載の注文端末。
【請求項６】
前記表示制御手段では、前記画像選択画面に、前記規定数量又は前記規定容量に対する、各々の前記記録媒体に振り分けられた画像ファイルの数量又は容量の比率を示す図を表示させることを特徴とする請求項１乃至５のいずれか一に記載の注文端末。
【請求項７】
コンピュータを、
デジタルカメラ又はデジタルカメラ用メディアから読み取った画像ファイルの中から記録媒体に記録する対象となる画像ファイルを選択させるための画像選択画面を表示手段に表示させる表示制御手段、
前記画像選択画面で選択された画像ファイルの数量及び容量と、予め定められた規定数量及び規定容量とを比較する比較手段、
前記選択された画像ファイルの前記数量又は前記容量の少なくとも一方が、前記規定数量又は前記規定容量を超過している場合に、超過している数量又は容量に対応する画像ファイルを次の前記記録媒体に順に振り分ける振り分け手段、として機能させることを特徴とする制御プログラム。
【請求項８】
前記表示制御手段では、前記画像選択画面に、選択された全ての画像ファイルを記録するために必要な前記記録媒体の枚数を表示させることを特徴とする請求項７記載の制御プログラム。
【請求項９】
前記表示制御手段では、前記画像選択画面の各々の前記画像ファイルの枠に対応付けて、該画像ファイルが記録される前記記録媒体の通し番号を表示させることを特徴とする請求項７又は８に記載の制御プログラム。
【請求項１０】
前記表示制御手段では、前記画像選択画面に、前記選択された画像ファイルを前記記録媒体毎に区分するマークを表示させることを特徴とする請求項７乃至９のいずれか一に記載の制御プログラム。
【請求項１１】
前記表示制御手段は、前記マークを移動可能に表示させ、
前記振り分け手段では、移動された前記マークの位置に応じて、前記選択された画像ファイルを各々の前記記録媒体に振り分け直すことを特徴とする請求項１０記載の制御プログラム。
【請求項１２】
前記表示制御手段では、前記画像選択画面に、前記規定数量又は前記規定容量に対する、各々の前記記録媒体に振り分けられた画像ファイルの数量又は容量の比率を示す図を表示させることを特徴とする請求項７乃至１１のいずれか一に記載の制御プログラム。
【請求項１３】
デジタルカメラ又はデジタルカメラ用メディアから、少なくとも画像ファイルを読み取るステップと、
読み取った前記画像ファイルの中から記録媒体に記録する対象となる画像ファイルを選択させるための画像選択画面を表示手段に表示するステップと、
前記画像選択画面で選択された画像ファイルの数量及び容量と、予め定められた規定数量及び規定容量とを比較するステップと、
前記選択された画像ファイルの前記数量又は前記容量の少なくとも一方が、前記規定数量又は前記規定容量を超過している場合に、超過している数量又は容量に対応する画像ファイルを次の前記記録媒体に順に振り分けるステップと、を少なくとも有することを特徴とする注文処理方法。
【請求項１４】
前記表示ステップでは、前記画像選択画面に、選択された全ての画像ファイルを記録するために必要な前記記録媒体の枚数を表示することを特徴とする請求項１３記載の注文処理方法。
【請求項１５】
前記表示ステップでは、前記画像選択画面の各々の前記画像ファイルの枠に対応付けて、該画像ファイルが記録される前記記録媒体の通し番号を表示することを特徴とする請求項１３又は１４に記載の注文処理方法。
【請求項１６】
前記表示ステップでは、前記画像選択画面に、前記選択された画像ファイルを前記記録媒体毎に区分するマークを表示することを特徴とする請求項１３乃至１５のいずれか一に記載の注文処理方法。
【請求項１７】
前記表示ステップでは、前記マークを移動可能に表示し、
前記振り分けステップでは、移動された前記マークの位置に応じて、前記選択された画像ファイルを各々の前記記録媒体に振り分け直すことを特徴とする請求項１６記載の注文処理方法。
【請求項１８】
前記表示ステップでは、前記画像選択画面に、前記規定数量又は前記規定容量に対する、各々の前記記録媒体に振り分けられた画像ファイルの数量又は容量の比率を示す図を表示することを特徴とする請求項１３乃至１７のいずれか一に記載の注文処理方法。
【発明の詳細な説明】
【技術分野】
【０００１】
本発明は、受付端末及び制御プログラム並びに注文処理方法に関する。
【背景技術】
【０００２】
近年、写真に関連する様々なサービスが提供されるようになってきている。例えば、ユーザがデジタルカメラで写真を撮影し、画像ファイルが記録されたデジタルカメラやデジタルカメラ用メディア、画像ファイルをバックアップしたＣＤ−Ｒなどをミニラボ等の写真店に持ち込むと、写真店では受付端末を用いてデジタルカメラやメディア、ＣＤ−Ｒから画像ファイルを読み取り、読み取った画像ファイルを用いて高精細な写真プリントを作成したり、該画像ファイルを他のＣＤ−Ｒなどの記録媒体に記録するなどの処理を行う。また、店舗内に設置されたキオスク（無人の受付端末）を用いれば、上記写真プリントの作成や記録媒体への書き込みなどの処理をユーザ自身で行うこともできる（上記無人端末に関しては、例えば、下記特許文献１参照）。
【０００３】
更に、読み取った画像データのみを記録媒体に記録するのではなく、これらの画像データを音楽付きスライドショーとして表示するためのアプリケーションや音楽ファイルも併せて記録媒体に記録することもできる。
【０００４】
【特許文献１】特開平１１−８８１７号公報（第３−４頁、第１図）
【発明の開示】
【発明が解決しようとする課題】
【０００５】
上記受付端末を用いて注文を行う場合、デジタルカメラやメディア、ＣＤ−Ｒから読み取った画像ファイルの画像が画面上に表示され、その中から写真プリントの作成や記録媒体の作成の対象となる画像ファイルを選択することになるが、記録媒体を作成する場合、記録媒体に記録可能な画像ファイルの量は限られているため、例えば、多数の画像ファイルが選択されると１枚の記録媒体内に全ての画像ファイルを記録することができなくなり、また、画像ファイルを音楽付きスライドショーとして再生する場合には、画像ファイルの数量が多すぎると１枚の画像を表示する時間が短くなり、スライドショーの見栄えが悪くなる。
【０００６】
そのため、従来の受付端末では、１枚の記録媒体に記録する画像ファイルの数量を予め定めておき、画像ファイルの選択の際に規定数量以上の画像ファイルを選択できないようにする制御が行われていた。また、規定数量以下の画像ファイルであっても、各々の画像ファイルの容量が大きいと全ての画像ファイルを記録することができなくなることから、更に、各々の画像ファイルが予め定められた容量（例えば、１ＭＢ）を超える場合にはその画像ファイルを選択できないようにする制御も行われていた。
【０００７】
しかしながら、近年のデジタルカメラは高精細な写真を撮影することができ、また、デジタルカメラ用メディアの容量にも余裕があることから、各々の画像ファイルの容量も大きくなる傾向にあり、容量の大きい画像ファイルを記録媒体に記録できないのでは実情に沿わず不便である。
【０００８】
また、選択された画像ファイルの数量が多く、１枚の記録媒体に記録することができない場合に、複数の記録媒体に分割して記録することもできるが、その場合に、記録媒体が何枚になるか、どの画像ファイルまでが１枚目の記録媒体に記録されるのかなどが分からないと画像ファイルを選択する際に不便であり、例えば、わずかに規定数量又は規定容量を超過している場合に選択する画像ファイルの数を減らすなどの調整を行うことができないという問題もある。
【０００９】
本発明は、上記問題点に鑑みてなされたものであって、その主たる目的は、画像ファイルが複数の記録媒体に分割して記録される場合において、画像ファイルの選択作業を容易にし、選択された画像ファイルを各々の記録媒体に確実に記録することができる受付端末及び制御プログラム並びに注文処理方法を提供することにある。
【課題を解決するための手段】
【００１０】
上記目的を達成するため、本発明の受付端末は、デジタルカメラ又はデジタルカメラ用メディアから、少なくとも画像ファイルを読み取るファイル読み取り手段と、読み取った画像ファイルの中から記録媒体に記録する対象となる画像ファイルを選択させるための画像選択画面を表示手段に表示させる表示制御手段と、を少なくとも備える受付端末において、前記画像選択画面で選択された画像ファイルの数量及び容量と、予め定められた規定数量及び規定容量とを比較する比較手段と、前記選択された画像ファイルの前記数量又は前記容量の少なくとも一方が、前記規定数量又は前記規定容量を超過している場合に、超過している数量又は容量に対応する画像ファイルを次の前記記録媒体に順に振り分ける振り分け手段とを少なくとも備えるものである。
【００１１】
本発明においては、前記表示制御手段では、前記画像選択画面に、選択された全ての画像ファイルを記録するために必要な前記記録媒体の枚数を表示させる構成とすることができる。
【００１２】
また、本発明においては、前記表示制御手段では、前記画像選択画面の各々の前記画像ファイルの枠に対応付けて、該画像ファイルが記録される前記記録媒体の通し番号を表示させる構成とすることもできる。
【００１３】
また、本発明においては、前記表示制御手段では、前記画像選択画面に、前記選択された画像ファイルを前記記録媒体毎に区分するマークを表示させる構成とすることができ、前記表示制御手段は、前記マークを移動可能に表示させ、前記振り分け手段では、移動された前記マークの位置に応じて、前記選択された画像ファイルを各々の前記記録媒体に振り分け直す構成とすることもできる。
【００１４】
また、本発明においては、前記表示制御手段では、前記画像選択画面に、前記規定数量又は前記規定容量に対する、各々の前記記録媒体に振り分けられた画像ファイルの数量又は容量の比率を示す図を表示させる構成とすることもできる。
【００１５】
また、本発明の制御プログラムは、コンピュータを、デジタルカメラ又はデジタルカメラ用メディアから読み取った画像ファイルの中から記録媒体に記録する対象となる画像ファイルを選択させるための画像選択画面を表示手段に表示させる表示制御手段、前記画像選択画面で選択された画像ファイルの数量及び容量と、予め定められた規定数量及び規定容量とを比較する比較手段、前記選択された画像ファイルの前記数量又は前記容量の少なくとも一方が、前記規定数量又は前記規定容量を超過している場合に、超過している数量又は容量に対応する画像ファイルを次の前記記録媒体に順に振り分ける振り分け手段、として機能させるものである。
【００１６】
また、本発明の注文処理方法は、デジタルカメラ又はデジタルカメラ用メディアから、少なくとも画像ファイルを読み取るステップと、読み取った前記画像ファイルの中から記録媒体に記録する対象となる画像ファイルを選択させるための画像選択画面を表示手段に表示するステップと、前記画像選択画面で選択された画像ファイルの数量及び容量と、予め定められた規定数量及び規定容量とを比較するステップと、前記選択された画像ファイルの前記数量又は前記容量の少なくとも一方が、前記規定数量又は前記規定容量を超過している場合に、超過している数量又は容量に対応する画像ファイルを次の前記記録媒体に順に振り分けるステップと、を少なくとも有するものである。
【００１７】
このように、本発明の構成によれば、画像選択画面で選択された画像ファイルの数量及び容量と、予め定められた規定数量及び規定容量とが比較され、画像ファイルの数量又は容量の少なくとも一方が規定数量又は規定容量を超過している場合に、超過している数量又は容量に対応する画像ファイルが順に次の記録媒体に振り分けられるため、選択された画像ファイルを各々の記録媒体に確実に記録することができる。また、画像選択画面には、選択された画像ファイルを記録するために必要な記録媒体の枚数や、各々の画像ファイルに対応付けられた記録媒体の通し番号、選択された画像ファイルを記録媒体毎に区分するマーク、各々の記録媒体に記録される画像ファイルの数量又は容量の規定数量又は規定容量に対する比率を示す図などが表示されるため、これらを参照することによって画像ファイルの選択作業を容易にすることができる。また、上記画像ファイルを区分するマークを調整可能に表示することにより、複数の記録媒体の各々に適切な数量又は容量の画像ファイルを振り分けることができる。
【発明の効果】
【００１８】
本発明の受付端末及び制御プログラム並びに注文処理方法によれば、下記記載の効果を奏する。
【００１９】
本発明の第１の効果は、選択された画像ファイルを各々の記録媒体に確実に記録することができるということである。
【００２０】
その理由は、本発明の受付端末では、画像選択画面で選択された画像ファイルの数量及び容量と、予め定められた規定数量及び規定容量とが比較され、画像ファイルの数量又は容量の少なくとも一方が規定数量又は規定容量を超過している場合に、超過している数量又は容量に対応する画像ファイルが順に次の記録媒体に振り分けられるため、容量の大きい画像ファイルが選択対象外となるなどの問題が生じないからである。
【００２１】
また、本発明の第２の効果は、画像ファイルの選択作業を容易にすることができるということである。
【００２２】
その理由は、画像選択画面には、選択された画像ファイルを記録するために必要な記録媒体の枚数、各々の画像ファイルに対応付けられた記録媒体の通し番号、選択された画像ファイルを記録媒体毎に区分するマーク、各々の記録媒体に記録される画像ファイルの数量又は容量の規定数量又は規定容量に対する比率を示す図などが表示されるため、この枚数や通し番号、マーク、図などを参照して画像ファイルを選択することができるからである。
【００２３】
また、本発明の第３の効果は、複数の記録媒体の各々に適切な数量又は容量の画像ファイルを振り分けることができるということである。
【００２４】
その理由は、画像選択画面に、選択された画像ファイルを記録媒体毎に区分して表示する際に、区分位置を示すマークをユーザが調整できるように表示するからである。
【発明を実施するための最良の形態】
【００２５】
本発明の受付端末は、その好ましい一実施の形態において、デジタルカメラやメディアなどから少なくとも画像ファイルを読み取るファイル読み取り手段と、画像選択画面で選択された画像ファイルの数量及び容量と、予め定められた規定数量及び規定容量とを比較する比較手段と、選択された画像ファイルの数量又は容量の少なくとも一方が規定数量又は規定容量を超過している場合に、超過している数量又は容量に対応する画像ファイルを順に次の記録媒体に振り分ける振り分け手段と、画像選択画面を表示手段に表示させる際に、選択された画像ファイルを記録するために必要な記録媒体の数量や、各々の画像ファイルに対応付けられた記録媒体の通し番号、選択された画像ファイルを記録媒体毎に区分する区分線、各々の記録媒体に記録される画像ファイルの数量又は容量の規定数量又は規定容量に対する比率を示す図などを表示する表示制御手段と、上記規定数量及び規定容量を記憶する記憶手段と、表示手段及び操作手段と、画像ファイルと注文情報ファイルとをプリンタや記録媒体作成装置などの出力装置に送信するファイル送信手段とを少なくとも備える。これにより、画像選択画面での画像ファイルの選択を容易にし、複数の記録媒体の各々に確実に画像ファイルを記録することができる。
【実施例】
【００２６】
上記実施の形態について詳細に説明すべく、本発明の一実施例に係る受付端末及び制御プログラム並びに注文処理方法について、図１乃至図２０を参照して説明する。図１は、本実施例に係る注文処理システムの構成を模式的に示す図であり、図２及び図３は、受付端末のバリエーションを示す図、図４は、受付端末の機能を示すブロック図である。また、図５及び図６は、本実施例の受付端末及びプリンタ並びに記録媒体作成装置を用いた注文処理の手順を示すフローチャート図であり、図７乃至図１７は、受付端末の表示手段に表示される画面構成例を示す図である。また、図１８及び図１９は、記録媒体におけるデータの記録構造を示す図であり、図２０は、記録媒体に構造を模式的に示す図である。
【００２７】
図１に示すように、本実施例の注文処理システム１は、ミニラボなどに写真店やコンビニエンスストアなどの注文店などに設置され、写真プリントや記録媒体の作成を指示する受付端末２と、写真店や生産店などに設置されるプリント作成装置１１ａや記録媒体作成装置１１ｂなどの出力装置１０とで構成され、これらはＬＡＮやＷＡＮ、ＶＡＮなどの通信ネットワークを介して接続されている。
【００２８】
また、図４に示すように、本実施例の受付端末２は、スマートメディア、コンパクトフラッシュ（登録商標）、メモリースティック、ＳＤメモリーカード、マルチメディアカードなどのデジタルカメラ９用又はカメラ付き携帯電話機９ａ用の記録媒体（以下、メディア８と呼ぶ。）を装填するメディア装填部５や、デジタルカメラ９やカメラ付き携帯電話機９ａ等の撮影機器（以下、デジタルカメラ９として説明する。）を有線又は無線、赤外線等によって接続するための機器接続部６などを用いて画像ファイルを読み取るファイル読み取り手段１５と、画像選択画面で選択された画像ファイルの数量及び容量と、１枚の記録媒体１３に記録することができる数量として予め規定された数量（以下、規定数量と呼ぶ。）及び１枚の記録媒体１３に記録することができる容量として予め規定された容量（以下、規定容量と呼ぶ。）とを比較する比較手段１６と、選択された画像ファイルの数量又は容量の少なくとも一方が規定数量又は規定容量を超過している場合に、超過している数量又は容量に対応する画像ファイルを順に次の記録媒体１３に振り分ける振り分け手段１７と、画像選択画面を表示手段に表示させる際に、選択された画像ファイルを記録するために必要な記録媒体の数量や、各々の画像ファイルに対応付けられた記録媒体１３の通し番号、選択された画像ファイルを記録媒体１３毎に区分するマーク（以下、区分線と呼ぶ。）、各々の記録媒体に記録される画像ファイルの数量又は容量の規定数量又は規定容量に対する比率を示す図などを表示する制御などを行う表示制御手段１８と、上記規定数量及び規定容量を記憶する記憶手段２０と、ＬＣＤ、ＣＲＴ等の表示手段３と、ボタン、キーボード、マウス等の操作手段４と、画像ファイルや注文情報ファイルを出力装置１０に送信するファイル送信手段１９とを備え、必要に応じて、注文番号が記録されたレシートを出力するレシートプリンタ７などが接続されている。なお、上記各手段はハードウェアとして構成されていてもよいし、コンピュータを、少なくとも、比較手段１６及び振り分け手段１７、又は、比較手段１６、振り分け手段１７及び表示制御手段１８として機能させる制御プログラムとして構成し、該制御プログラムを受付端末２にインストールして実行する構成としてもよい。
【００２９】
また、本実施例のプリント作成装置１１ａは、銀塩プリンタや昇華プリンタ、インクジェットプリンタなどの任意の種類のプリンタを用いることができ、プリント作成装置１１ａには、少なくとも、注文情報ファイルに基づいて所定のプリントサイズ（Ｅ、Ｌ、ＬＤ、２Ｌ、２ＬＤ、ＫＧ、８つ、６つ、４つ、６つＷ、４つＷ、Ａ４、Ａ３など）、所定の種別（銀塩プリント、昇華プリントなど）、所定の形態（個別のプリント、インデックスプリント、ジャケットプリントなど）の写真プリント１２の作成を行う機能を備え、記録媒体作成装置１１ｂには、少なくとも、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１３を装填する記録媒体装填部１４などの書き込み手段を備えている。なお、図１では、受付端末２とプリント作成装置１１ａと記録媒体作成装置１１ｂとを別々の装置として記載しているが、例えば、図２に示すように、受付端末２と記録媒体作成装置１１ｂの機能を兼ね備えたコンピュータ機器としてもよいし、図３に示すように、受付端末２とプリント作成装置１１ａと記録媒体作成装置１１ｂとが一体となったキオスク（無人端末）などとしてもよい。
【００３０】
次に、上記構成の受付端末２を用いた注文処理の手順について、図５及び図６のフローチャート図を参照して説明する。
【００３１】
まず、受付端末２を起動すると、表示手段３に例えば、図７に示すような作業選択画面２１が表示される。この作業選択画面２１には、画像ファイルから写真プリント１２を作成するのか、画像ファイルを記録した記録媒体１３を作成するのか、又はその双方を作成するのかなどの作業を選択するボタンが表示され、ステップＳ１０１で、ユーザはその中から所望の作業を選択する。その後、ステップＳ１０２で、メディア装填部５にメディア８を装填、又は機器接続部６にデジタルカメラ９を接続する。
【００３２】
次に、ステップＳ１０３で選択された作業を判断し、写真プリント１２の作成又は写真プリント１２及び記録媒体１３の双方の作成が選択された場合は、ステップＳ１０４で、表示制御手段１８は、表示手段３に例えば図８に示すような写真プリント１２のプリントサイズをユーザに選択させるためのプリントサイズ選択画面２２を表示させる。このプリントサイズ選択画面２２には、Ｅ、Ｌ、ＬＤ、２Ｌ、２ＬＤ、ＫＧ、８つ、６つ、４つ、６つＷ、４つＷ、Ａ４、Ａ３などの各種プリントサイズが選択可能に表示されており、ユーザは操作手段４を操作して所望のプリントサイズを選択する。
【００３３】
次に、ステップＳ１０５で、表示制御手段１８は、表示手段３に例えば図９に示すような納期をユーザに選択させるための納期選択画面２３を表示させる。この納期選択画面２３には、特急、普通、翌日などの各種納期が選択可能に表示されており、ユーザは操作手段４を操作して所望の納期を選択する。
【００３４】
次に、ステップＳ１０５の処理の後に、又は、ステップＳ１０３からＳ１０５の処理と並行して、ステップＳ１０６で、ファイル読み取り手段１５は、メディア装填部５に装填されたメディア８や機器接続部６に接続されたデジタルカメラ９から画像ファイルと必要に応じてＤＰＯＦ（Digital Print Order Format）ファイルなどの注文情報ファイルを読み取る。
【００３５】
次に、表示制御手段１８は、表示手段３に、例えば図１０に示すような一括選択画面２４を表示させた後、例えば図１１に示すような画像選択画面２５を表示させる。この画像選択画面２５には、各々の画像ファイルの画像を日付順やファイル名順などの予め定められた順番（図ではファイル名の昇順）で配列するための複数の枠が設けられており、各々の枠の近傍には、対応する画像ファイルに対する処理を設定するためのボタン（ディスク作成モードの場合は画像を回転させるためのボタンや画像の選択／解除を指示するためのボタン、画像を拡大表示するためのボタンなど）が設けられている。そして、ステップＳ１０７でユーザは画像選択画面２５に表示された画像ファイルの中から処理の対象となる画像ファイル（ここでは、記録媒体１３に記録する画像ファイル）を選択する。
【００３６】
ここで、従来の受付端末では、選択可能な画像ファイルの数量のみが規定されており、規定数量の画像ファイルを選択したら他の画像ファイルが選択できないように制御されていたため、所望の画像ファイルを記録媒体１３に書き込むことができないという問題があった。また、従来の受付端末では画像ファイルの数量のみを規定することから、容量の大きい画像ファイルは選択できないように制御されていたため、所望の画像ファイルを選択できないという問題もあった。更に、従来の受付端末には、１枚の記録媒体に記録できない場合に選択された画像ファイルを複数の記録媒体に分割して記録することができるものもあるが、その場合でも選択した画像ファイルを１枚の記録媒体に記録することができるのか、１枚の記録媒体に記録できない場合は記録媒体が何枚になるのかなどを示す情報が表示されなかったため、画像ファイルを容易に選択することができないという問題もあった。そこで、本実施例の受付端末２では、画像選択画面２５での画像ファイルの選択を容易にし、確実に画像ファイルを書き込むことができるように以下の処理を行う。
【００３７】
具体的には、ユーザが画像選択画面２５で所望の画像ファイルを選択すると、ステップＳ１０８で、比較手段１６は、選択された画像ファイルの数量及び容量と、記憶手段２０に予め記憶された規定数量及び規定容量と比較し、ステップＳ１０９で、選択された画像ファイルの数量又は容量の少なくとも一方が規定数量又は規定容量を超過しているかを判断し、超過している場合は、ステップＳ１１０で、振り分け手段１７は、超過している数量又は容量に対応する画像ファイルを順に次の記録媒体１３に振り分ける制御を行い、各々の記録媒体１３に規定数量以下かつ規定容量以下の条件で画像ファイルを記録できるようにする。
【００３８】
例えば、規定数量を２００コマ、規定容量を２５６ＭＢとし、選択された画像ファイルの数量が２５０コマ、容量が２００ＭＢであったとすると、比較手段１６は、容量は規定容量以下であるが、コマ数が規定数量を超過していると判断し、振り分け手段１７は、１コマ目から２００コマ目までの画像ファイルを１枚目の記録媒体１３に振り分け、２０１コマ目から２５０コマ目までの画像ファイルを２枚目の記録媒体１３に振り分ける。また、選択された画像ファイルの数量が１８０コマ、容量が３００ＭＢであったとすると、比較手段１６は、コマ数は規定数量以下であるが、容量が規定容量を超過していると判断し、振り分け手段１７は、１コマ目から２５６ＭＢ以下の容量のコマまでの画像ファイルを１枚目の記録媒体１３に振り分け、その次のコマから１８０コマ目までの画像ファイルを２枚目の記録媒体１３に振り分ける。
【００３９】
このように、選択された画像ファイルの数量及び容量と規定数量及び規定容量とを比較し、選択された画像ファイルの数量又は容量の少なくとも一方が規定数量又は規定容量を超過している場合に、超過している数量又は容量に対応する画像ファイルを順に次の記録媒体１３に振り分けることによって、選択した画像ファイルを確実に記録媒体１３に書き込むことができる。
【００４０】
上記方法によって各々の記録媒体１３には規定数量及び規定容量以下の画像ファイルが記録されるが、例えば、選択した画像ファイルを１枚の記録媒体１３に記録するつもりがユーザの意に反して２枚の記録媒体１３に分割して記録されてしまう場合もある。また、選択した画像ファイルのコマ数が規定数量をわずかに超過していたり、選択した画像ファイルの容量が規定容量をわずかに超過しているために、複数の記録媒体１３に分割して記録されてしまう場合もある。そこで、本実施例の受付端末１ではこのような不都合が生じないように、ステップＳ１１１で、振り分け手段１７は、選択された画像ファイルを記録するために必要な記録媒体１３の数量を特定し、ステップＳ１１２で、表示制御手段１８は、例えば図１１に示すように、画像選択画面２５の任意の場所（図１１では右下）に、記録媒体１３の枚数を表示している。また、上記枚数表示に代えて、又は上記枚数表示と共に、図１２に示すように、各々の画像ファイルが何枚目の記録媒体１３に記録されるかを識別するための記録媒体１３の通し番号を表示することもできる。このような記録媒体１３の枚数表示や通し番号表示を行うことにより、ユーザは選択した画像ファイルが何枚の記録媒体１３に分割して記録されるかを認識することができるため、画像ファイルを容易に選択できるようになる。
【００４１】
また、図１２では各々の枠に対応付けて何枚目の記録媒体１３であるかを示す通し番号を表示したが、例えば、図１３に示すように、図１１又は図１２の表示方法に代えて、又は図１１又は図１２の表示方法に加えて、ステップＳ１１２で、選択された画像ファイルを記録媒体１３毎に区分する区分線を表示することもできる。この表示方法では、記録媒体１３が切り替わる位置を一見して把握することができるため、特に画像選択画面２５に多数の枠が表示される場合などに有効である。
【００４２】
また、図１２及び図１３の構成では、どの画像ファイルで記録媒体１３が切り替わるかは該当する画像ファイルが表示されるページを表示させないと分からない。そこで、各々の記録媒体１３にどの程度の画像ファイルが振り分けられているかを一見して判別できるようにするために、例えば図１４に示すように、画像選択画面２５の任意の場所に、規定数量又は規定容量（ここでは規定数量）に対してどの程度の画像ファイルが振り分けられているかを示す図を表示したり、図１５に示すように、規定数量及び規定容量に対してどの程度の数量及び容量の画像ファイルが振り分けられているかを示す図を表示することもできる。このような図を表示することによって、各々の記録媒体１３に振り分けられた画像ファイルの数量や容量をイメージとして捕らえることができるため、画像ファイルの選択をより一層容易に行うことができる。
【００４３】
そして、ユーザは記録媒体１３の枚数や通し番号、区分線、図などの表示を参照して、ステップＳ１１３で、画像ファイルを更に選択するか、画像ファイルの選択を解除するかなどを判断し、画像ファイルの選択／選択解除を行う場合はステップＳ１０７に戻って同様の処理を繰り返す。
【００４４】
このようにして画像ファイルを選択したら直ちに次の処理を行ってもよいが、上記手順では、規定数量及び規定容量を超えない範囲でできるだけ多くの画像ファイルを各々の記録媒体１３に順に記録するため、複数の記録媒体１３の各々に記録される画像ファイルの数量や容量のバランスが悪くなる場合がある。例えば、上述したように規定数量を２００コマ、規定容量を２５６ＭＢとし、選択された画像ファイルの数量が２５０コマ、容量が２００ＭＢであったとすると、１枚目の記録媒体１３には２００コマの画像ファイルが記録され、２枚目の記録媒体１３には５０コマの画像ファイルが記録されるため、１枚目と２枚目とで画像ファイルの数量が大きく異なりバランスが悪くなる。また、画像ファイルが複数のイベントで撮影されたものであり、各々のイベントの区切りと記録媒体１３の区分とが一致しない場合（例えば、図１３でイベント区切りがDSC00199.jpgとDSC00200.jpgの間で、記録媒体１３の区分がDSC00200.jpgとDSC00201.jpgの間の場合など）、１つのイベントで撮影した写真が２枚の記録媒体１３に分割されてしまい、画像ファイルをスライドショーで再生する場合に見栄えが悪くなるなど、バランスが悪くなってしまう。
【００４５】
そこで、そのような場合を考慮して、各々の記録媒体１３に記録する画像ファイルをユーザ自身が調整することができるように、例えば図１６に示すように、画像選択画面２５に区分線を移動させるためのボタンを設ける構成とすることもでき、ステップＳ１１４で区分の修正を希望する場合には、上記ボタンを押すなどして所望の位置に区分線を移動する。そして、修正が終了したらステップＳ１１５で、振り分け手段１７は、修正された区分線の位置に応じて画像ファイルを再度振り分け直し、各々の記録媒体１３に記録する画像ファイルを特定する。このように区分線を移動可能にすることにより、実状に即して画像ファイルを振り分けることができるようになる。
【００４６】
そして、上記手順で画像ファイルの選択を行った後、ステップＳ１１６で、写真プリント１２の作成が選択されている場合は、プリント対象となる画像ファイルのＥＸＩＦ（Exchangeable Image File Format）情報や注文情報ファイルに日付情報が記録されているかを判断し、プリント対象となる少なくとも１つの画像ファイルに日付情報が記録されている場合又は注文情報ファイルに日付情報が記録されている場合は、写真プリント１２に日付を書き込むことができるため、表示制御手段１８は、例えば、図１７に示すような、写真プリント１２に日付を書き込むか否かを選択するボタンが表示された日付有り／無し選択画面２６を表示手段３に表示させる。
【００４７】
次に、ステップＳ１１７で、ユーザは日付有り／無し選択画面２６で日付の有り／無しを選択し、日付無しを選択した場合は、画像ファイル又は注文情報ファイルの少なくとも一方の所定の記述場所にその画像ファイルに基づく画像に日付が書き込まれないようにする処理を行うなどして、日付無しに設定する。また、日付有りを選択した場合は、注文情報ファイルの日付指定に関する記述場所にＥＸＩＦ情報に記述された日付情報を書き込むなどして、日付有りに設定する。
【００４８】
その後、ステップＳ１１８で、ファイル送信手段１９は、選択された画像ファイルと注文情報ファイルとをネットワークを介して設定されたプリント作成装置１１ａや記録媒体作成装置１１ｂなどの出力装置１０に送信すると共に、レシートプリンタ７を用いて注文番号が記録されたレシートを出力し、ユーザに渡して受付端末２の処理を終了する。
【００４９】
一方、プリント作成装置１１ａは、ステップＳ２０１で、受付端末２から送信された画像ファイル及び注文情報ファイルを受信し、ステップＳ２０２で、該注文情報ファイルに基づいて、選択されたプリントサイズの写真プリント１２を作成する。
【００５０】
また、ステップＳ２０３で記録媒体１３の作成を行う場合は、ステップＳ２０４で、記録媒体作成装置１１ｂの記録媒体装填部１４にＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１３を装填し、ステップＳ２０５で、必要に応じて、記録媒体１３の所定の領域（例えば、論理アドレス領域外）から識別情報を読み取る。上記論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ：Absolute Time In Pre-groove）情報の領域は含まず、また、論理アドレス領域外とは上記論理アドレス領域以外の領域を指すものとする。
【００５１】
なお、上記識別情報の内容は限定されず、記録媒体１３の製造者に対応するコード（製造者コード、通称Ｍコード）や記録媒体１３の規格に対応するコード（タイプコード、通称Ｔコード）などとすることができる。また、上記識別情報は適正な記録媒体に対して画像ファイルを記録するために設けるものであり、識別情報の記録場所や中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００５２】
ここで、一般的な記録媒体１３の構造について、図２０を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができるため、上記識別情報として有効である。
【００５３】
そして、ステップＳ２０６で、該識別情報の有無に基づいて装填された記録媒体１３が特定の記録媒体であるかを判断し、特定の記録媒体である場合は、ステップＳ２０７で、１枚目の記録媒体１３に、振り分け手段１７によって振り分けられた画像ファイルや必要に応じて該画像ファイルのデータサイズを縮小した縮小画像ファイル、該画像ファイルをスライド表示するためのアプリケーション、スライドショーの設定ファイル、注文情報ファイルなどを書き込む。
【００５４】
次に、ステップＳ２０８で、選択された全ての画像ファイルを記録媒体１３に記録したかを判断し、記録していない画像ファイルが残っている場合は、ステップＳ２０４に戻って、振り分け手段１７によって振り分けられた画像ファイルを２枚目の記録媒体１３に記録し、以下同様の処理を繰り返す。そして、選択された全ての画像ファイルを各々の記録媒体１３に記録したら、ステップＳ２０９で、レシートと引き替えに、作成した写真プリント１２や記録媒体１３をユーザに納品する。
【００５５】
上記手順で作成された記録媒体１３のディレクトリ構造は、例えば、図１８に示すようになり、規定数量が２００コマで選択された画像ファイルの数量が２５０コマの場合は、”DCIM”フォルダ内に１枚目の記録媒体１３には２００コマの画像ファイル、２枚目の記録媒体１３には５０コマの画像ファイルが記録されると共に、”MISC”フォルダ内の注文情報ファイル、”APPL”フォルダ内のスライドショープログラムやスライドショーの設定ファイル、自動起動ファイルなどが記録される。なお、画像ファイルのディレクトリ構造は任意であるが、画像ファイルをコンピュータ機器などにバックアップした場合における管理を容易にするために、例えば、図１９に示すように、画像ファイルの格納場所を示すフォルダ（PS_Roll）の下位の階層にメディア８毎、機器毎、フィルム毎の画像ファイルの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々の画像ファイルをCCYYMMDDxxxxxx（CC：画像ファイルの種別、YYMMDD：書き込み年月日を特定する数字、xxxxxx：シーケンシャル番号）などにリネームしてもよい。
【００５６】
このように、本実施例の受付端末２では、画像選択画面２５で画像ファイルを選択すると、選択された画像ファイルの数量及び容量と、予め定められた規定数量及び規定容量とが比較され、選択された画像ファイルの数量又は容量の少なくとも一方が規定数量又は規定容量を超過している場合に、超過している数量又は容量に対応する画像ファイルが順に次の記録媒体１３に振り分けられるため、選択した画像ファイルを確実に記録媒体１３に記録することができる。
【００５７】
また、画像選択画面２５には、選択した画像ファイルを記録するために必要な記録媒体１３の枚数や、各々の画像ファイルがどの記録媒体１３に記録されるのかを示す記録媒体１３の通し番号、各々の記録媒体１３にどの画像ファイルまでが記録されるかを示す区分線、各々の記録媒体１３に記録される画像ファイルの数量や容量の規定数量又は規定容量に対する比率を示す図などが表示されるため、ユーザは記録媒体１３の枚数や通し番号、区分線、図を参照して容易に画像ファイルを選択することができる。
【００５８】
更に、画像選択画面２５には、上記区分線が移動可能に表示されるため、イベント毎の画像ファイルの区分と、規定数量及び規定容量に基づいて設定された区分とが異なる場合などに、ユーザの好みに合わせて、各々の記録媒体１３に記録される画像ファイルを調整することができるため、画像ファイルを効果的に各々の記録媒体１３に振り分けることができる。
【００５９】
なお、上記実施例では、デジタルカメラ９やメディア８に記録された画像ファイルを用いた処理について説明したが、本発明は上記実施例に限定されるものではなく、ネガフィルムから読み取った画像ファイル、通信ネットワークを介して取得した画像ファイルなどに対しても同様に適用することができる。
【図面の簡単な説明】
【００６０】
【図１】本発明の一実施例に係る注文処理システムの構成を模式的に示す図である。
【図２】本発明の一実施例に係る受付端末のバリエーションを示す図である。
【図３】本発明の一実施例に係る受付端末のバリエーションを示す図である。
【図４】本発明の一実施例に係る受付端末の機能を示すブロック図である。
【図５】本発明の一実施例に係る受付端末を用いた注文手順を示すフローチャート図である。
【図６】本発明の一実施例に係る出力装置を用いた注文手順を示すフローチャート図である。
【図７】本発明の一実施例に係る受付端末の表示手段に表示される画面構成例（作業選択画面）を示す図である。
【図８】本発明の一実施例に係る受付端末の表示手段に表示される画面構成例（プリントサイズ選択画面）を示す図である。
【図９】本発明の一実施例に係る受付端末の表示手段に表示される画面構成例（納期選択画面）を示す図である。
【図１０】本発明の一実施例に係る受付端末の表示手段に表示される画面構成例（一括選択画面）を示す図である。
【図１１】本発明の一実施例に係る受付端末の表示手段に表示される画面構成例（画像選択画面）の構成を示す図である。
【図１２】本発明の一実施例に係る受付端末の表示手段に表示される画像選択画面の他の構成を示す図である。
【図１３】本発明の一実施例に係る受付端末の表示手段に表示される画像選択画面の他の構成を示す図である。
【図１４】本発明の一実施例に係る受付端末の表示手段に表示される画像選択画面の他の構成を示す図である。
【図１５】本発明の一実施例に係る受付端末の表示手段に表示される画像選択画面の他の構成を示す図である。
【図１６】本発明の一実施例に係る受付端末の表示手段に表示される画像選択画面の他の構成を示す図である。
【図１７】本発明の一実施例に係る受付端末の表示手段に表示される画面構成例（日付有り／無し選択画面）を示す図である。
【図１８】本発明の一実施例に係る記録媒体のデータ記録構造を示す図である。
【図１９】本発明の一実施例に係る記録媒体のデータ記録構造の他の例を示す図である。
【図２０】記録媒体（ＣＤ−Ｒ）の構造を模式的に示す図である。
【符号の説明】
【００６１】
１  注文処理システム
２  受付端末
３  表示手段
４  操作手段
５  メディア装填部
６  機器接続部
７  レシートプリンタ
８  メディア
９  デジタルカメラ
９ａ  カメラ付き携帯電話機
１０  出力装置
１１ａ  プリント作成装置
１１ｂ  記録媒体作成装置
１２  写真プリント
１３  記録媒体
１４  記録媒体装填部
１５  ファイル読み取り手段
１６  比較手段
１７  振り分け手段
１８  表示制御手段
１９  ファイル送信手段
２０  記憶手段
２１  作業選択画面
２２  プリントサイズ選択画面
２３  納期選択画面
２４  一括選択画面
２５  画像選択画面
２６  日付有り／無し選択画面
１００  ポリカーボネート基板
１０１  有機色素層
１０２  反射層
１０３  保護層
【図１】
2006140899.tif 000003
【図２】
2006140899.tif 000004
【図３】
2006140899.tif 000005
【図４】
2006140899.tif 000006
【図５】
2006140899.tif 000007
【図６】
2006140899.tif 000008
【図７】
2006140899.tif 000009
【図８】
2006140899.tif 000010
【図９】
2006140899.tif 000011
【図１０】
2006140899.tif 000012
【図１１】
2006140899.tif 000013
【図１２】
2006140899.tif 000014
【図１３】
2006140899.tif 000015
【図１４】
2006140899.tif 000016
【図１５】
2006140899.tif 000017
【図１６】
2006140899.tif 000018
【図１７】
2006140899.tif 000019
【図１８】
2006140899.tif 000020
【図１９】
2006140899.tif 000021
【図２０】
2006140899.tif 000022